(57)【要約】【課題】従来の切削装置に比べて生産性が向上する切削装置を提供することである。【解決手段】切削装置は、パッケージ基板を吸引保持する保持手段と、パッケージ基板を複数収容可能なカセットが載置されるカセット載置台と、該カセット載置台に載置された該カセットに収容されたパッケージ基板を仮置きして位置決めする仮置き部と、該カセット載置台に載置された該カセットに収容されたパッケージ基板を該仮置き部へ搬出する搬出手段と、該仮置き部で位置決めされたパッケージ基板を該保持手段へと搬送する搬送手段と、該仮置き部に仮置きされたパッケージ基板の反り量を検出する反り検出手段と、を備えたことを特徴とする。【選択図】図１
2014073563.tif 000002
【特許請求の範囲】
【請求項１】
パッケージ基板を切削する切削装置であって、
パッケージ基板を吸引保持する保持手段と、
該保持手段で保持されたパッケージ基板を切削する切削ブレードを有した切削手段と、
パッケージ基板を複数収容可能なカセットが載置されるカセット載置台と、
該カセット載置台に載置された該カセットに収容されたパッケージ基板を仮置きして位置決めする仮置き部と、
該カセット載置台に載置された該カセットに収容されたパッケージ基板を該仮置き部へ搬出する搬出手段と、
該仮置き部で位置決めされたパッケージ基板を該保持手段へと搬送する搬送手段と、
該仮置き部に仮置きされたパッケージ基板の反り量を検出する反り検出手段と、
を備えたことを特徴とする切削装置。
【請求項２】
前記反り検出手段は、パッケージ基板の上面の高さ位置を複数点で測定する高さ位置測定手段を有し、
測定した複数点における最頂点と最低点との差からパッケージ基板の該反り量を検出する、請求項１に記載の切削装置。
【請求項３】
前記反り検出手段で検出された該反り量が所定の許容値を超えたパッケージ基板を、前記搬送手段で前記保持手段への搬送を実施することなく前記搬出手段で該カセットへと搬入する、請求項１又は２に記載の切削装置。
【発明の詳細な説明】
【技術分野】
【０００１】
本発明は、パッケージ基板を切削する切削装置に関する。
【背景技術】
【０００２】
パッケージ基板は複数の材質が積層されることにより形成され、さらに樹脂によって半導体チップを封止する際の熱の影響やリードフレームやプリント基板に半導体チップをマウントする際のリフロー加熱による熱の影響などにより、パッケージ基板には反りが生じ易い。
【０００３】
反りのあるパッケージ基板を切削装置の保持テーブルで吸引保持しようとしても、パッケージ基板と保持テーブルとが密接しない部分から負圧がリークして、パッケージ基板を吸引保持できない。
【０００４】
切削装置は、一度保持テーブルで負圧がリークしてパッケージ基板を吸引保持できなくても、再度吸引保持を実施するように制御される。複数回吸引保持を試み、吸引保持できない場合には、切削装置はエラーメッセージを発信する。作業者はエラーメッセージを受けて、そのパッケージ基板を保持テーブル上から除去し、残りのパッケージ基板の切削加工を再開するようにしている。
【先行技術文献】
【特許文献】
【０００５】
【特許文献１】特開２０１２−０５１０８１号公報
【発明の概要】
【発明が解決しようとする課題】
【０００６】
しかしながら、反りのあるパッケージ基板を保持テーブルまで搬送し、複数回吸引保持を試み、最終的に吸引保持ができずに切削装置がエラーメッセージを発信して作業者が保持テーブル上のパッケージ基板を取り除くのでは、非常に効率が悪く生産性が低いという問題がある。
【０００７】
本発明の目的は、上記に鑑みてなされたものであって、従来の切削装置に比べて生産性が向上する切削装置を提供することである。
【課題を解決するための手段】
【０００８】
本発明によると、パッケージ基板を切削する切削装置であって、パッケージ基板を吸引保持する保持手段と、該保持手段で保持されたパッケージ基板を切削する切削ブレードを有した切削手段と、パッケージ基板を複数収容可能なカセットが載置されるカセット載置台と、該カセット載置台に載置された該カセットに収容されたパッケージ基板を仮置きして位置決めする仮置き部と、該カセット載置台に載置された該カセットに収容されたパッケージ基板を該仮置き部へ搬出する搬出手段と、該仮置き部で位置決めされたパッケージ基板を該保持手段へと搬送する搬送手段と、該仮置き部に仮置きされたパッケージ基板の反り量を検出する反り検出手段と、を備えたことを特徴とする切削装置が提供される。
【０００９】
好ましくは、前記反り検出手段は、パッケージ基板の上面の高さ位置を複数点で測定する高さ位置測定手段を有し、測定した複数点における最頂点と最低点との差からパッケージ基板の反り量を検出する。
【００１０】
好ましくは、前記反り検出手段で検出された該反り量が所定の許容値を超えたパッケージ基板を、前記搬送手段で前記保持手段への搬送を実施することなく前記搬出手段でカセットへと搬入する。
【発明の効果】
【００１１】
本発明によると、パッケージ基板は保持テーブル（保持手段）上に搬送される前に、仮置き部で反り検出手段によりパッケージ基板の反り量が検出される。保持テーブルでの吸引保持ができない程の反り量の反りを有したパッケージ基板を予め保持テーブルに搬送しないようにできるため、従来の切削装置に比べて生産性を向上する切削装置が提供される。
【図面の簡単な説明】
【００１２】
【図１】本発明の実施形態に係る切削装置の斜視図である。
【図２】パッケージ基板が複数収納されたカセットの正面図である。
【図３】反り検出手段がパッケージ基板の反り量を検出する工程を説明する一部断面側面図である。
【図４】反り検出手段が図３が示すパッケージ基板とは異なるパッケージ基板の反り量を検出する工程を説明する一部断面側面図である。
【発明を実施するための形態】
【００１３】
本発明を実施するための形態（実施形態）につき、図面を参照しつつ詳細に説明する。図１を参照すると、本発明の実施形態に係る切削装置２の斜視図が示されている。切削装置２のベース４の上にカセット５を載置するカセット載置台６が設けられている。
【００１４】
カセット載置台６にはカセット５をＺ軸方向（上下方向）に移動させるカセットエレベータ８が取り付けられている。カセット５には複数枚のパッケージ基板１１が収納されている。パッケージ基板１１の裏面には、パッケージ基板１１の裏面と同じ寸法のテープ１３が貼着されている。
【００１５】
ベース４の上に、カセット５に収納されたパッケージ基板１１を引き出してＹ軸方向に搬送する搬出手段１０が設けられている。カセット載置台６と搬出手段１０の間に、搬出手段１０が搬出したパッケージ基板１１を一時的に載置する仮置き領域１４が設けられている。
【００１６】
仮置き領域１４の両端に、パッケージ基板１１の中心位置合わせ（位置決め）をする一対のセンタリングガイド１６が設けられている。仮置き領域１４と一対のセンタリングガイド１６により、仮置き部１９が構成される。
【００１７】
仮置き領域１４の上方にパッケージ基板の高さ位置を検出する非接触式の高さ位置測定器１７が設けられており、仮置き領域１４に隣接してパッケージ基板１１を搬送する搬送手段１８が設けられている。高さ位置測定器１７はＸ方向及びＹ方向に移動可能であり、高さ位置測定器１７と切削装置２のコントローラ１９とで反り検出手段２１を構成する。
【００１８】
さらに、ベース４の上に搬送手段１８が搬送したパッケージ基板１１を保持する保持テーブル２０が設けられている。保持テーブル２０には図示しない回転機構及び加工送り手段が設けられており、保持テーブル２０は加工送り手段により図示したホームポジションＡと加工領域Ｂとの間でＸ軸方向に移動される。
【００１９】
ベース４にはハウジング３４が一体的に連結されており、ハウジング３４から突出して、保持テーブル２０に保持されたパッケージ基板１１を切削加工する第１の切削ブレード（図示せず）が装着された第１の切削ユニット２２と第２の切削ブレード２３が装着された第２の切削ユニット２４がＹ軸方向に独立して移動可能に配設されている。
【００２０】
さらに、ベース４には切削加工が完了したパッケージ基板１１を洗浄するスピンナ洗浄ユニット２８が設けられ、ハウジング３４には切削加工されたパッケージ基板１１を保持テーブル２０からスピンナ洗浄ユニット２８に搬送する搬出ユニット２６が設けられている。
【００２１】
保持テーブル２０に隣接して、切削加工の条件を入力する操作パネル３２が設けられ、ハウジング３４には表示モニタ３６が設けられている。
【００２２】
図２を参照すると、パッケージ基板が複数収納されたカセット５の正面図が示されている。カセット５にはパッケージ基板を収納するカセット段（収納部）がカセット段１５からカセット段１５Ｉまで１０段設けられている。カセット段１５から順にパッケージ基板１１からパッケージ基板１１Ｉまでが一枚ずつ収納されている。上述したように、各パッケージ基板の裏面にはテープ１３が貼着されている。
【００２３】
以下、このように構成された本発明実施形態の切削装置２の作用について説明する。
カセットエレベータ８によりカセット５を載置したカセット載置台６が、搬出手段１０がカセット５に収納されたパッケージ基板１１を取り出し可能な高さまで上昇すると、搬出手段１０がカセット５に収容されたパッケージ基板を一枚ずつ仮置き部１４に搬出する。その後、一対のセンタリングガイド１６により、パッケージ基板の中心位置合わせが実施される。
【００２４】
パッケージ基板の中心位置合わせが実施された後、パッケージ基板１１の高さ位置を複数点で測定してパッケージ基板１１の反り量を検出す反り量検出工程を実施する。この反り量検出工程では、図３に示すように、高さ位置検出器１７をパッケージ基板１１の左端から右端まで走査して、複数点でパッケージ基板１１の高さ位置を測定する。
【００２５】
次いで、高さ位置測定器１７をＹ軸方向（図１参照）に移動して、最初の測定点からＹ軸方向に相当離れた場所に高さ位置検出器１７を位置づけ、パッケージ基板１１の右端から左端まで走査して、パッケージ基板１１の上面の高さ位置を複数点で測定する。
【００２６】
非接触式の高さ位置測定器１７としては、レーザー式又は超音波式の高さ位置測定器を採用可能である。非接触式の高さ位置測定器１７に変えて、接触式高さ位置検出器でセンタリングガイド１６により支持されたパッケージ基板１１の高さ位置を測定するようにしてもよい。
【００２７】
測定した複数のパッケージ基板１１の上面の高さ位置の内、最高の高さ位置である点を最頂点３８とし最低の高さ位置である点を最低点４０として、最頂点３８と最低点４０の差からパッケージ基板の反り量４１をコントローラ１９で算出する。
【００２８】
図３に示すパッケージ基板１１では、パッケージ基板１１の反り量４１は所定の許容値４２を超えないため、搬送手段１８によりパッケージ基板１１は保持テーブル２０に搬送される。所定の許容値４２は限定されないが、パッケージ基板１１の厚みや材質に応じて適宜保持テーブル２０でパッケージ基板１１が吸引吸着可能となる値に設定する。本実施形態では約５ｍｍに設定した。
【００２９】
保持テーブル２０に吸引保持されたパッケージ基板１１は加工送り手段によりＸ軸方向に移動され、第１の切削ユニット２２と第２の切削ユニット２４により切削加工が実施される。
【００３０】
切削加工が完了したパッケージ基板１１を吸引保持した保持テーブル２０は加工送り手段により図１に示すホームポジションＡに戻され、搬送ユニット２６によりパッケージ基板１１はスピンナ洗浄ユニット２８に搬送されて、スピンナ洗浄ユニット２８により洗浄される。
【００３１】
洗浄されたパッケージ基板１１は搬送手段１８により仮置き部１９に搬送され、その後搬出手段１０によりカセット５に収納される。
【００３２】
図４を参照すると、高さ位置測定器１７が図３が示すパッケージ基板１１とは異なるパッケージ基板１１Ｂの高さ位置を測定する工程を説明する一部断面側面図が示されている。図３と同様に、高さ位置測定器１７は、パッケージ基板１１Ｂの上面の高さ位置を複数点で測定し、最頂点３８と最低点４０を検出してパッケージ基板１１Ｂの反り量４１をコントローラ１９で算出する。
【００３３】
図４に示したパッケージ基板１１Ｂでは、パッケージ基板１１Ｂの反り量４１が所定の許容値４２を超えるため、搬送手段１８でパッケージ基板１１を保持テーブル２０へ搬送することなく、搬出手段１０でパッケージ基板１１Ｂを仮置き部１４からカセット５に搬入する。
【００３４】
これにより、保持テーブル２０での吸引保持ができない程の反り量４１の反りを有したパッケージ基板１１Ｂを保持テーブル２０に搬送しないようにできるため、切削装置２の生産性が向上する。
【００３５】
このように、全てのパッケージ基板１１〜１１Ｉについて反り検出手段２１により、パッケージ基板１１の反り量４１を検出し、反り量４１が所定の許容値４２を超えるか否かを判定する。
【００３６】
反り量４１が所定の許容値４２を超えるパッケージ基板は切削加工が実施されることなく搬出手段１０によりカセット５に戻され、そのパッケージ基板が収納されたカセット段をメモリに格納する。反り量４１が所定の許容値４２を超えないパッケージ基板は搬送手段１８により、保持テーブル２０に搬送され、第１及び第２の切削ユニット２２、２４で切削加工を実施する。
【００３７】
カセット５に収納されたパッケージ基板のうち、反り量４１が所定の許容値４２を超えないパッケージ基板の切削加工が全て完了すると、表示モニタ３６に切削加工が完了したことを表示し、さらに切削加工が実施されなかったパッケージ基板が収納されたカセット段を表示する。本実施形態では、カセット段１５Ｂとカセット段１５Ｅが表示される。
【００３８】
以下、代替実施形態を説明する。この代替実施形態では、パッケージ基板にテープ１３を貼着して環状フレームに支持し、保持テーブル２０にクランプを設けてクランプで環状フレームを固定することによりパッケージ基板を切削加工を実施する。
【００３９】
他の代替実施形態では、パッケージ基板にテープ１３を貼着せず、切削加工されたパッケージ基板を全面吸着してキャニスタに搬送して収容する。あるいは、ベース４にピックアップユニットを設けて、ピックアップユニットにより切削加工されたパッケージ基板をチップトレイに収納するようにしても良い。
【００４０】
以上の実施形態に記載した内容により本発明が限定されるものではない。また、以上に記載した構成要素には、当業者が容易に想定できるもの、実質的に同一のものが含まれる。さらに、以上に記載した構成は適宜組み合わせることが可能である。また、本発明の要旨を逸脱しない範囲で構成の種々の省略、置換又は変更を行うことができる。
【符号の説明】
【００４１】
２  切削装置
５  カセット
６  カセット載置台
１０  搬出手段
１１  パッケージ基板
１７  高さ位置測定器
１８  搬送手段
１９  仮置き部
２０  保持テーブル（保持手段）
２２  第１の切削ユニット（切削手段）
２３  第２の切削ブレード
２４  第２の切削ユニット（切削手段）
３８  最頂点
４０  最低点
４１  反り量
４２  所定の許容値
【図１】
2014073563.tif 000003
【図２】
2014073563.tif 000004
【図３】
2014073563.tif 000005
【図４】
2014073563.tif 000006